(57)【特許請求の範囲】
【請求項１】
建物の壁面の設計に使用されたＣＡＤデータを使用して、建物の壁面全体に、所定の幅Ｗの防水シートを互いにＬだけオーバーラップするように敷き詰めるシミュレーションを実行して、前記防水シートの施工場所を検出する防水シート施工場所データ抽出手段と、
前記ＣＡＤデータを使用して、互いに傾きの異なる３以上の壁面の境界が集まったところを含む、前記敷き詰められた防水シートの端を押さえるための防水補助材の施工場所を検出する防水補助材施工場所データ抽出手段と、
前記防水補助材を施工するための壁面を検出し、検出した部分の壁面図に相当するデータを抽出する壁面図データ抽出手段と、
前記防水シート施工場所データ抽出手段と、防水補助材施工場所データ抽出手段と、壁面図データ抽出手段が抽出したデータを使用して、前記壁面図を使用して、前記壁面の境界線から一定幅の帯状部分を選択して、該当箇所に取り付ける前記防水補助材の輪郭を決定する防水補助材輪郭決定手段と、
前記防水補助材輪郭決定手段によって決定された前記防水補助材の輪郭データに基づいて、所定の材料を裁断して、防水補助材を製造する防水補助材カッティングマシンとを備えたことを特徴とする防水補助材の製造装置。
【請求項２】
コンピュータにより、建物の壁面の設計に使用されたＣＡＤデータを使用して、防水シートの施工場所を検出する処理と、防水シートの端を押さえるための防水補助材の施工場所を検出する処理と、前記防水補助材を施工するための壁面を検出する処理と、前記壁面の境界線から一定幅の帯状部分を選択して、該当箇所に取り付ける前記防水補助材の輪郭を決定する処理を、順に実行し、決定された前記防水補助材の輪郭データに基づいて、防水補助材カッティングマシンにより所定の材料を裁断してなるものであって、
折り目を境にして、それぞれ別々に裁断された複数枚の展開部品と、
前記展開部品のそれぞれ対応する辺を接合するための接合部材とから成ることを特徴とする建物の防水補助材組み立てキット。
【請求項３】
請求項２に記載の防水補助材組み立てキットにおいて、
前記一部の展開部品は、
壁面の傾斜が異なる場合であっても、共通の形状とされていることを特徴とする建物の防水補助材組み立てキット。
【請求項４】
コンピュータにより、建物の壁面の設計に使用されたＣＡＤデータを使用して、防水シートの施工場所を検出する処理と、防水シートの端を押さえるための防水補助材の施工場所を検出する処理と、前記防水補助材を施工するための壁面を検出する処理と、前記壁面の境界線から一定幅の帯状部分を選択して、該当箇所に取り付ける前記防水補助材の輪郭を決定する処理を、順に実行し、決定された前記防水補助材の輪郭データに基づいて、防水補助材カッティングマシンにより所定の材料を切断してなるものであって、
折り目を境にして、それぞれ別々に裁断された複数枚の展開部品と、前記展開部品のそれぞれ対応する辺を接合した接合部材とから成ることを特徴とする建物の防水補助材。
【請求項５】
コンピュータにより、建物の壁面の設計に使用されたＣＡＤデータを使用して、防水シートの施工場所を検出する処理と、防水シートの端を押さえるための防水補助材の施工場所を検出する処理と、前記防水補助材を施工するための壁面を検出する処理と、前記壁面の境界線から一定幅の帯状部分を選択して、該当箇所に取り付ける前記防水補助材の輪郭を決定する処理を、順に実行し、決定された前記防水補助材の輪郭データに基づいて、防水補助材カッティングマシンにより所定の材料を切断してなるものであって、
折り目を介して複数枚の展開部品を一体化し、前記折り目の部分に折れ線が印刷されたことを特徴とする建物の防水補助材。
【請求項６】
互いに傾きの異なる壁面の境界で、前記壁面に敷き詰められた防水シートの端を押さえるためのものであって、
前記壁面の境界部分にある折り目を境にして、それぞれ別々に裁断された複数枚の展開部品と、
前記展開部品の折り目においてそれぞれ対応する辺を接合するための接合部材とを含むことを特徴とする建物の防水補助材組み立てキット。
【発明の詳細な説明】
【０００１】
【発明の属する技術分野】
本発明は、木造建築の壁面の防水処理に利用される建物の防水補助材や防水補助材組み立てキット等に関する。
【０００２】
【従来の技術】
木造建築では、建物の外壁を防水処理するために、防水性のシート状の下地材を全面に貼り付ける。この下地材の上には、サイディンク等の外壁材を取り付ける。屋根の部分も同様で、下地材を全面に貼り付けた上に、屋根葺き材を施工する。下地材は所定の幅の帯状のシートからなり、水の浸入を防ぐために隣り合う下地材同士の間で一定の幅の重ね合わせ処理をしながら、壁面に貼り付けられる。
【０００３】
図２は、従来の下地材施工部分の一例を示す斜視図である。
この図は、建物の二階の壁面１９と一階の屋根面２０との境界部分を斜め上方から見た図である。図に示すように、屋根面２０の上面には、防水シート２１が、隣同士でオーバーラップ部２２を形成しながら貼り付けられている。壁面１９と屋根面２０とが交差する境界２４の部分を覆って水の浸入を防ぐために、防水シート２１は、壁面１９の側の端を境界２４の部分で折り曲げて立ち上げるようにしている。また、屋根面２０の稜線２３の部分でも、防水のための重ね合わせ処理をする。即ち、防水シート２１は、境界２４の部分で折り曲げて立ち上げ処理をし、切れ目２５を作った後稜線２３の部分で折り曲げて重ね合わせ処理をしている。
【０００４】
屋根面２０は、この例では左右対称であるから、反対側の屋根面２０でも防水シート２１は同様の処理が施される。壁面１９の上では、防水シート２１の立ち上げ部分は稜線２３の延長線上で一部重なり合う。こうした複雑な重なり合い部分を機械的におさえつけて防水性を確保するために、防水補助材１０が使用される。防水補助材１０の垂直部２７は壁面１９に密着し水平部２８は屋根面２０に密着する。防水補助材１０も、屋根面２０の稜線２３から見たとき、左右対称の一対の部材により構成される。稜線２３の部分では、互いに重なり合い、先端部２９を形成している。いずれもまったく対称の形状であるため、この図では同一の符号を付けた。
【０００５】
防水補助材１０は、防水シート２１よりも機械的強度の高い金属板やプラスチック板などにより構成される。このように、建物の屋根面や外壁面は、建物の構造上、複雑に交り合う。従って、屋根面や外壁面の端や交差部分では、下地材を折り曲げたり立ち上げたりして重なり合い部分を形成し、下地材の繋ぎ目からの漏水を防止している。さらに、特に形状の複雑な部分には、下地材の固定と防水のために、特殊な形状の部材を使用している（特開２００１−０９８７２２号公報）。以下この部材のことを防水補助材と呼ぶ。
【０００６】
【発明が解決しようとする課題】
ところで、上記のような従来の技術には、次のような解決すべき課題があった。
防水補助材は、プラスチックや金属製のシートから成る。建築現場での施工処理を簡便にするために、予め所定の寸法形状に切断して現場に搬入する。これを建築現場で指示書に従って折り曲げ加工している。しかしながら、複雑な折り曲げ加工作業は、現場作業者の負担になる。また、例えば、屋根面と外壁面の交差部分では、屋根勾配にあわせてシートを折り曲げて、余剰部分を挟み込むような処理を行なうので、屋根面や壁面に部分的に膨らみができて、外壁材や瓦を平坦に施工する上での妨げになっていた。
【０００７】
本発明は以上の点に着目してなされたもので、施工容易な建物の防水補助材や防水補助材組み立てキットとその製造方法及び、これらを設計するためのコンピュータプログラムを提供することを目的とする。
【０００８】
【課題を解決するための手段】
本発明は次の構成により上記の課題を解決する。
〈構成１〉
建物の壁面の設計に使用されたＣＡＤデータを使用して、建物の壁面全体に、所定の幅Ｗの防水シートを互いにＬだけオーバーラップするように敷き詰めるシミュレーションを実行して、上記防水シートの施工場所を検出する防水シート施工場所データ抽出手段と、上記ＣＡＤデータを使用して、互いに傾きの異なる３以上の壁面の境界が集まったところを含む、上記敷き詰められた防水シートの端を押さえるための防水補助材の施工場所を検出する防水補助材施工場所データ抽出手段と、上記防水補助材を施工するための壁面を検出し、検出した部分の壁面図に相当するデータを抽出する壁面図データ抽出手段と、上記防水シート施工場所データ抽出手段と、防水補助材施工場所データ抽出手段と、壁面図データ抽出手段が抽出したデータを使用して、上記壁面図を使用して、上記壁面の境界線から一定幅の帯状部分を選択して、該当箇所に取り付ける上記防水補助材の輪郭を決定する防水補助材輪郭決定手段と、上記防水補助材輪郭決定手段によって決定された上記防水補助材の輪郭データに基づいて、所定の材料を裁断して、防水補助材を製造する防水補助材カッティングマシンとを備えたことを特徴とする防水補助材の製造装置。
【０００９】
〈構成２〉
コンピュータにより、建物の壁面の設計に使用されたＣＡＤデータを使用して、防水シートの施工場所を検出する処理と、防水シートの端を押さえるための防水補助材の施工場所を検出する処理と、上記防水補助材を施工するための壁面を検出する処理と、上記壁面の境界線から一定幅の帯状部分を選択して、該当箇所に取り付ける上記防水補助材の輪郭を決定する処理を、順に実行し、決定された上記防水補助材の輪郭データに基づいて、防水補助材カッティングマシンにより所定の材料を裁断してなるものであって、折り目を境にして、それぞれ別々に裁断された複数枚の展開部品と、上記展開部品のそれぞれ対応する辺を接合するための接合部材とから成ることを特徴とする建物の防水補助材組み立てキット。
【００１０】
〈構成３〉
構成２に記載の防水補助材組み立てキットにおいて、上記一部の展開部品は、壁面の傾斜が異なる場合であっても、共通の形状とされていることを特徴とする建物の防水補助材組み立てキット。
【００１１】
〈構成４〉
コンピュータにより、建物の壁面の設計に使用されたＣＡＤデータを使用して、防水シートの施工場所を検出する処理と、防水シートの端を押さえるための防水補助材の施工場所を検出する処理と、上記防水補助材を施工するための壁面を検出する処理と、上記壁面の境界線から一定幅の帯状部分を選択して、該当箇所に取り付ける上記防水補助材の輪郭を決定する処理を、順に実行し、決定された上記防水補助材の輪郭データに基づいて、防水補助材カッティングマシンにより所定の材料を切断してなるものであって、折り目を境にして、それぞれ別々に裁断された複数枚の展開部品と、上記展開部品のそれぞれ対応する辺を接合した接合部材とから成ることを特徴とする建物の防水補助材。
【００１２】
〈構成５〉
コンピュータにより、建物の壁面の設計に使用されたＣＡＤデータを使用して、防水シートの施工場所を検出する処理と、防水シートの端を押さえるための防水補助材の施工場所を検出する処理と、上記防水補助材を施工するための壁面を検出する処理と、上記壁面の境界線から一定幅の帯状部分を選択して、該当箇所に取り付ける上記防水補助材の輪郭を決定する処理を、順に実行し、決定された上記防水補助材の輪郭データに基づいて、防水補助材カッティングマシンにより所定の材料を切断してなるものであって、折り目を介して複数枚の展開部品を一体化し、上記折り目の部分に折れ線が印刷されたことを特徴とする建物の防水補助材。
【００１３】
〈構成６〉
互いに傾きの異なる壁面の境界で、上記壁面に敷き詰められた防水シートの端を押さえるためのものであって、上記壁面の境界部分にある折り目を境にして、それぞれ別々に裁断された複数枚の展開部品と、上記展開部品の折り目においてそれぞれ対応する辺を接合するための接合部材とを含むことを特徴とする建物の防水補助材組み立てキット。
【００１４】
【発明の実施の形態】
以下、本発明の実施の形態を具体例を用いて説明する。
図１は本発明の防水補助材の設計システム具体例を示すブロック図である。
図のシステムは、コンピュータ１により制御される。このコンピュータ１は、パーソナルコンピュータあるいはワークステーション等から成る。コンピュータ１は、記憶装置３と演算処理装置５を備える。記憶装置３や演算処理装置５は、コンピュータに内蔵されていても外付けされていても構わない。記憶装置３にはＣＡＤデータ４が記憶されている。このＣＡＤデータ４は、建物の壁面の設計に使用されたものである。演算処理装置５には、それぞれ、次のような機能を持つ処理を、コンピュータに実行させるコンピュータプログラムがインストールされている。
【００１５】
防水シート施工場所データ抽出手段１１は、ＣＡＤデータ４から防水シートの施工場所を検出しその場所を特定するためのデータを抽出する機能を持つ。防水補助材施工場所データ抽出手段１２は、ＣＡＤデータ４から防水補助材の施工場所を検出しその場所を特定するためのデータを抽出する機能を持つ。壁面図データ抽出手段１３は、防水シートや防水補助材を施工するための壁面を検出し、壁面図（壁面を正面から見た図）に相当するデータを抽出する機能を持つ。防水補助材輪郭決定手段１４は、防水シート施工場所データ抽出手段１１と防水補助材施工場所データ抽出手段１２と壁面図データ抽出手段１３が抽出したデータを使用して、該当箇所に取り付ける防水補助材の輪郭を決定する機能を持つ。接合部材設計手段１５は、出来上がった防水補助材の切れ目を接合するための接合部材を設計する機能を持つ。即ち、例えば、接合部材を粘着テープとすれば、その必要寸法を計算する機能を持つ。
【００１６】
このほかに、コンピュータ１には、ディスプレイ、キーボード、マウス、プリンタといったマンマシンインタフェース用ハードウエアが設けられている。しかしながら、マンマシンインタフェース用ハードウエアは、全て既知のものを使用することができるので、図示及び各機能の具体的な説明は省略する。また、インタフェース２には、図示しない任意のネットワーク等を通じて、防水補助材カッティングマシン５と接合部材カッティングマシン６とキット説明書データベース７とが接続されている。
【００１７】
防水補助材カッティングマシン５は、防水補助材輪郭決定手段１４によって決定された輪郭データに基づいて、所定の材料をカッティングし、防水補助材を製造する装置である。接合部材カッティングマシン６は、接合部材設計手段１５の設計した接合部材を、設計通りの寸法にカッティングする装置である。キット説明書データベース７は、防水補助材輪郭決定手段１４や接合部材設計手段１５の演算処理結果に基づいて製造される防水補助材キットの、組み立て説明書を作成するために利用されるデータベースである。防水補助材の輪郭や接合部材の形状はそのまま説明書の図面に取り込まれる。
【００１８】
図３の（ａ）は、防水補助材の設計対象となった建物の斜視図である。
まず、ＣＡＤデータを使用して、建物の壁面全体に、所定の幅Ｗの防水シートを互いにＬだけオーバーラップするように敷き詰めるシミュレーションを実行する。防水シートの敷き詰め方は、図２に示したとおりである。次に、互いに傾きの異なる３以上の壁面の境界が集まったところや、その他、防水シートの端を確実に押さえる必要がある場所に防水補助材を配置するものとして、防水補助材の施工場所を決める。
【００１９】
建物の外壁も屋根面も、建物の壁面である。図のように、建物７０の横壁７１や横壁７２と屋根７３との境界面であって、壁面の境界が集まったところが候補になる。こうした防水補助材の施工場所については、一定の論理式を設けておき、自動的にこの場所に防水補助材を施工するという結論を出すとよい。例えば、横壁７１と横壁７２と屋根７３が共有する部分が防水補助材の施工場所に該当する。これは、各々の面の頂点の座標であって、共通するものを検出すればよい。こうすれば、Ａ点とＢ点が検出できる。なお、屋根７３は、屋根の棟の部分を境にして南側と北側で傾斜が異なる。従って、これらは互いに異なる面として扱うとよい。こうすれば、Ｃ点が検出できる。
【００２０】
図３の（ｂ）は演算処理装置の動作フローチャートである。
まず、ステップＳ１でＣＡＤデータ４を読む。防水シート施工場所データ抽出手段１１と防水補助材施工場所データ抽出手段１２と壁面図データ抽出手段１３はそれぞれ、ステップＳ２で、防水補助材の施工場所や輪郭を決定するためのデータを抽出する。ステップＳ３で防水補助材輪郭決定手段１４は、防水補助材の輪郭を決定する。ステップＳ４で接合部材設計手段１５は接合部材の設計をする。ステップＳ５で全ての防水補助材について処理が終了したかどうかを判断する。処理が終了していればステップＳ６に進む。ステップＳ６では、防水補助材カッティングマシン５がカッティングマシンを制御するためのカッティングデータを生成する。ステップＳ７ではキット説明書データベース７でキット説明書データが生成される。次の図４で、防水補助材の具体的な展開図の決定方法を説明する。
【００２１】
図４（ａ）は、展開図生成処理に使用する壁面図、（ｂ）は防水補助材の展開図と接合部材の平面図である。
防水補助材の施工場所が決まったら、防水補助材の展開図を生成する。３つの壁面が交差している部分で、防水補助材の展開図を作る場合には、図の（ａ）のように各壁面の正面図を利用して、境界線から一定幅の帯状部分を選択すればよい。この図の例は、図２を用いて説明した防水補助材を、本発明の方法に適用したものである。この防水補助材は、垂直部３１と水平部３２とを備える。折り目３４を境にして、対称の形状の防水補助材が一対使用される。
【００２２】
垂直部３１と水平部３２の合計２枚の展開部品を、それぞれ対応する折り目３３の部分で接合して、防水補助材３０の展開部品が完成する。組み立ては現場で行なうとよい。その場合には、展開部品のそれぞれ対応する辺を接合するための粘着テープのような接合部材５１を合わせて梱包し、キット形式で現場に搬入すればよい。もっとも、梱包が容易ならば、組み立てた後で現場に搬入してもよい。折り目３３と折り目３４の部分は、後で折り曲げることができるように、折れ線を入れておく。折り目３４は、屋根の棟の線と一致する。折り目３３の端部には切れ目３５が形成されている。
【００２３】
切除線３６は、屋根の傾斜に応じて変化する。即ち、傾斜角θは、屋根の傾きに応じて選定される。しかしながら、その他の部分は屋根の傾きにかかわらず共通である。防水補助材４０は、防水補助材３０とちょうど対称の形状をしている。垂直部４１から切除線４６は、垂直部３１から切除線３６に対応する部分である。接合部材５１は、それぞれ、垂直部３１と垂直部４１の重なりあった部分を接着固定するために使用される。なお、接着固定する場所や固定方法は任意であり、その方法によって、接合部材の形状や材料を適当に選べばよい。また、複数の展開部品を相互に接着固定した状態の防水補助材を、プレス加工等により一気に製造するようにしてもよい。
【００２４】
垂直部３１と水平部３２の各部品はそれぞれバラバラに切断され、折り目３３の部分で粘着テープなどの接合部材を用いて接合するようにしてもよい。この場合には、施工現場における折り曲げ加工が不要になる。一方、図４に示した例のように、垂直部３１と水平部３２とを連続させ、折り目３３の部分で折り曲げるようにすれば、折り曲げた部分の防水性が向上し、機械的な強度も上がる。折り目３３の部分における折り曲げ加工が簡単にできるように、折り目３３の部分に、プリンタを用いて破線を印刷するとよい。なお、上記の例では、建物の壁面を正面から見た図を使用して防水補助材の展開部品を設計したが、展開部品を作るために利用できる正面図、側面図等、任意の壁面図を使用してよい。
【００２５】
通常、現場では、防水補助材の切断加工はしない。従って、余剰部分は重ね合わせたり折り曲げたりする。しかしながら、何枚もの部材が重なりあったり、折り曲げられたりすると、その部分の厚みが増加し、壁材の施工に影響を及ぼすことがある。従って、防水のために必要な最小限の重なり部分を除いて、予め工場で切断をしておくことが望ましい。上記の方法によれば、防水補助材は無駄な折り込みが無くなって、どの部分も厚みが無駄に厚くならない。故に、防水シートと防水補助材の上に取り付けられるサイディングや瓦の施工が容易になる。
【００２６】
図５は、本発明の方法により製造された別の防水補助材の例を示す説明図で、（ａ）は斜視図、（ｂ）は展開図である。
図の防水補助材は、垂直部５５と傾斜部５６を備える。垂直部５５と傾斜部５６は予め別々に裁断されるが、境界線５７の部分で折り曲げ可能なように接合されている。接合方法は任意である。例えば粘着テープなどで接合する。垂直部５５は、図３のＢ点で、２階部分の横壁７１と横壁７２に密着する。傾斜部５６は屋根７３に密着する。垂直部５５と傾斜部５６とのなす角は屋根７３の傾斜に従ってう。即ち、接辺６１が垂直部５５に接する線は、傾斜部５６の傾斜によって異なる。しかしながら、屋根７３の傾斜にかかわらず共通の部品が使用できる。
【００２７】
図の（ｂ）に示すように、垂直部５５の辺５８と傾斜部５６の辺５９とは図示しない接合部材で接合される。接辺６１が垂直部５５と接する傾斜角６２は、水平片６３に対し自由に選択することができる。なお、接辺６１と垂直部５５とが接した部分は、防水のために、接合部材によって接着される。いずれの場合においても、無駄な折り目は生じないため、防水補助材の部分で厚みの凹凸が少なくなる。特に、接辺５１の部分では、従来、施工時に屋根の勾配に応じて垂直部５５や接辺６１を折り込むようにしていたから、その施工作業も複雑で、折り込み分が凹凸の原因になっていた。上記の実施例ではこの点を解決できる。なお、本発明でいう防水補助材には、上記の説明で紹介したもののほか、鉄板により組み立てられて建物各部の防水や機械的保護に使用される、谷樋などの屋根板金加工品も含まれるものとする。
【００２８】
上記のデータ生成処理のために演算処理装置にインストールされたコンピュータプログラムは、それぞれ独立したプログラムモジュールを組み合わせて構成してもよいし、全体を一体化したプログラムにより構成してもよい。コンピュータプログラムにより制御される処理の全部または一部を同等の機能を備えるハードウエアで構成しても構わない。また、上記のコンピュータプログラムは、既存のアプリケーションプログラムに組み込んで使用してもよい。上記のような本発明を実現するためのコンピュータプログラムは、例えばＣＤ−ＲＯＭのようなコンピュータで読み取り可能な記録媒体に記録して、任意の情報処理装置にインストールして利用することができる。また、ネットワークを通じて任意のコンピュータのメモリ中にダウンロードして利用することもできる。
【図面の簡単な説明】
【図１】本発明の防水補助材の設計システム具体例を示すブロック図である。
【図２】従来の下地材施工部分の一例を示す斜視図である。
【図３】（ａ）は、防水補助材の設計対象となった建物の斜視図で、（ｂ）は演算処理装置の動作フローチャートである。
【図４】（ａ）は、展開図生成処理に使用する壁面図、（ｂ）は防水補助材の展開図と接合部材の平面図である。
【図５】本発明の方法により製造された別の防水補助材の例を示す説明図で、（ａ）は斜視図、（ｂ）は展開図である。
【符号の説明】
１  コンピュータ
２  インタフェース
３  記憶装置
４  ＣＡＤデータ
５  防水補助材カッティングマシン
６  接合部材カッティングマシン
７  キット説明書データベース
１０  防水補助材
１１  防水シート施工場所データ抽出手段
１２  防水補助材施工場所データ抽出手段
１３  壁面図データ抽出手段
１４  防水補助材輪郭決定手段
１５  接合部材設計手段
【図１】
0003813099.tif 000002
【図２】
0003813099.tif 000003
【図３】
0003813099.tif 000004
【図４】
0003813099.tif 000005
【図５】
0003813099.tif 000006